【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
第一の取外し可能ファスナ部材、第二の取外し可能ファスナ部材および協働的捕捉手段を含む磁気ファスナにおいて、前記取外し可能ファスナ部材のそれぞれは特徴的な磁気軸線を備えた磁気結合面を有しており、前記第一および第二の取外し可能ファスナ部材の対応する前記磁気結合面が磁気結合状態にあって共通の磁気軸線を有するときに、前記第一および第二の取外し可能ファスナ部材はファスナ連結しており、
前記共通の磁気軸線に沿って加えられる軸方向分離力を受けるときに、前記第一および第二の取外し可能ファスナ部材は前記ファスナ連結から分離するようになっており、前記第一および第二の取外し可能ファスナ部材がファスナ連結していて、前記共通の磁気軸線に対して角度をなして加えられる非軸方向分離力を受けるときに、前記協働的捕捉手段は、相互に磁気的に引かれる状況下における前記第一および第二の取外し可能ファスナ部材の前記磁気結合面を形成しており、
前記協働的捕捉手段は捕捉用コンパートメントおよびラッチ部分を含んでおり、前記捕捉用コンパートメントは前記第二の取外し可能ファスナ部材上に形成されており、前記捕捉用コンパートメントは周囲境界と該周囲境界から内側に広がる周辺フランジとを含んでおり、前記捕捉用コンパートメントは、磁気的に引かれる状況下で前記第一および第二の取外し可能ファスナ部材が互いに移動可能なコンパートメントを形成しており、前記ラッチ部分は前記第一の取外し可能ファスナ部材上に形成されており、前記ラッチ部分は前記共通の磁気軸線から半径方向外側に広がる周辺フランジを含んでおり、
前記内側に広がる周辺フランジは、前記第一および第二の取外し可能ファスナ部材が前記共通の磁気軸線に沿って磁気結合により係合すると共に前記軸方向分離力を受けるときに前記第一および第二の取外し可能ファスナ部材が分離する入口開口部を形成しており、
前記協働的捕捉手段は、前記第一および第二の取外し可能ファスナ部材が非軸方向分離張力を受けるときに前記対応する磁気結合面の間で相対的な側方移動を可能にする最大範囲を形成しており、
前記第一および第二の取外し可能ファスナ部材のそれぞれは永久磁石を含んでおり、該永久磁石のそれぞれは磁性ハウジングにより囲まれており、前記永久磁石は、前記磁気結合面から遠位の前記永久磁石の背面における磁場が前記磁気結合面の側部になるように、囲まれており、それにより、反対の磁極性の磁場の領域と共通の磁気軸線とが前記磁気結合面上に存在するようになり、
前記永久磁石はさらに非磁性ハウジングにより囲まれており、前記磁性ハウジングは前記永久磁石および前記非磁性ハウジングの両方を囲んでおり、前記磁性ハウジングは前記磁気結合面の外周を形成すると共に、前記永久磁石を周方向に取囲む、磁気ファスナ。
【請求項２】
前記第一の取外し可能ファスナ部材の前記外側に広がる周辺フランジは、前記対応する磁気結合面がファスナ連結しているときに前記第二の取外し可能ファスナ部材の前記内側に広がる周辺フランジよりも下方の点に在るようにした請求項１に記載の磁気ファスナ。
【請求項３】
第一の取外し可能ファスナ部材及び第二の取外し可能ファスナ部材を含む磁気ファスナにおいて、前記第一及び前記第二の取外し可能ファスナ部材は、それぞれ磁気結合軸方向に沿って磁力によって相互に引き付けられる第一及び第二の磁気結合面を含んでおり、前記磁気ファスナはさらに、前記第一および第二の取外し可能ファスナ部材のうちの一方に配置された保護手段を含んでおり、該保護手段は前記磁気結合面から離間していて前記磁気結合面の間で相対的な側方移動を可能としており、同時に前記保護手段は前記第一および第二の取外し可能ファスナ部材が磁気で連結しているときに最大可能範囲を越えて前記第一および第二の磁気結合面の間における相対的な側方移動に抵抗しており、前記第一及び第二のファスナ部材は、前記第一及び第二のファスナ部材が磁気で結合されていて前記磁気結合軸方向を横切って加えられる側方の張力を受けるときに、前記第一及び第二のファスナ部材が概ね前記磁気結合軸方向に沿って外れるのに抵抗するようになっている協働的捕捉手段をさらに含んでおり、前記協働的捕捉手段は、前記磁気結合軸方向に対して平行または直交する前記結合面によって前記第一および第二の取外し可能ファスナ部材を前記磁気結合軸方向に沿って軸方向に分離させられるようになっており、さらに前記協働的捕捉手段は前記第一および第二の取外し可能ファスナ部材の食い違いの分離作用に抵抗するようになっており、
前記協働的捕捉手段は、半径方向内側に広がる周辺フランジを備えた捕捉部分と、半径方向外側に広がる周辺フランジを備えたラッチ部分とを含んでおり、前記ラッチ部分および前記捕捉部分の前記半径方向に広がる部分は、これら部分の前記磁気結合軸方向に沿ったそれぞれの運動が互いに可能であるようになっており、それにより、前記第一および第二の取外し可能ファスナ部材は邪魔されることなしに前記磁気結合軸方向に沿って軸方向に分離できるようになっており、前記第一および第二の取外し可能ファスナ部材のそれぞれは磁性材料からなる磁性ハウジングにより囲まれており、前記磁性ハウジングは磁気結合面の背面から前記磁気結合面の前方に向かって延びており、それにより、前記磁性ハウジングの磁極性は、対応する囲まれた前記磁気結合面の磁極性と反対であり、前記第一および第二の磁気結合面が磁気で結合して接触するときに前記対応する磁性ハウジングも磁気で結合して接触するように、前記第一および第二の取外し可能ファスナ部材の前記対応する磁性ハウジングは整形されて寸法決めされている、磁気ファスナ。
【請求項４】
前記第一および第二の取外し可能ファスナ部材のそれぞれは前記磁気結合面を取囲む非磁性ハウジングを含んでおり、前記非磁性ハウジングは、前記磁気結合面を所定の位置に固定するために前記磁性ハウジングと前記磁気結合面との中間に位置する請求項３に記載の磁気ファスナ。
【請求項５】
第一の取外し可能ファスナ部材及び第二の取外し可能ファスナ部材を含む磁気ファスナにおいて、前記第一及び前記第二の取外し可能ファスナ部材は、それぞれ磁気結合軸方向に沿って磁力によって相互に引き付けられる第一及び第二の磁気結合面を含んでおり、前記磁気ファスナはさらに、前記第一および第二の取外し可能ファスナ部材のうちの一方に配置された保護手段を含んでおり、該保護手段は前記磁気結合面から離間していて前記磁気結合面の間で相対的な側方移動を可能としており、同時に前記保護手段は前記第一および第二の取外し可能ファスナ部材が磁気で連結しているときに最大可能範囲を越えて前記第一および第二の磁気結合面の間における相対的な側方移動に抵抗しており、前記第一及び第二のファスナ部材は、前記第一及び第二のファスナ部材が磁気で結合されていて前記磁気結合軸方向を横切って加えられる側方の張力を受けるときに、前記第一及び第二のファスナ部材が概ね前記磁気結合軸方向に沿って外れるのに抵抗するようになっている協働的捕捉手段をさらに含んでおり、前記協働的捕捉手段は、前記磁気結合軸方向に対して平行または直交する前記結合面によって前記第一および第二の取外し可能ファスナ部材が前記磁気結合軸方向に沿って軸方向に分離するのを可能とする手段と、前記第一および第二の取外し可能ファスナ部材の食い違いの分離作用に抵抗する手段とを含んでおり、さらに、前記協働的捕捉手段は、リング型磁石またはリング型磁石組立体と、前記磁石または磁石組立体が保持されるハウジングとを含んでおり、前記ハウジングは複数のソーイング・ホールを含んでおり、これらソーイング・ホールは、前記リング型磁石または前記リング型磁石組立体の中心開口部に対応する前記ハウジングの領域に配置されている、磁気ファスナ。